(57)【要約】【課題】火災が発生したときに自動的に照明や電気錠を制御することで使い勝手並びに安全性を向上する。【解決手段】火災を感知した火災感知器４から火災感知信号が送信され、当該火災感知信号を受信した親機１の親機制御部１０が各照明制御装置５に対して照明装置６を点灯させるように指示する点灯指示命令を含んだ点灯指示信号をアンテナ１８から送信させる。親機１から送信された点灯指示信号を受信した照明制御装置５の制御部５０は、制御線Ｌｃを介して照明装置６に制御信号を送信し、当該制御信号を受信した照明装置６が光源を点灯させる。而して、火災感知器４で火災が感知されると住戸Ｈ内の照明装置６が自動的に点灯するため、住人による操作が不要となって使い勝手及び安全性が向上する。【選択図】        図１
2010136104.tif 000002
【特許請求の範囲】
【請求項１】
外玄関に設置されるインターホン子機と、住戸内に設置されて火災を感知する１乃至複数の火災感知器と、住戸内に設置されてインターホン子機との間で通話音声を送受信するとともに何れかの火災感知器で火災が感知されたときに火災警報を報知するインターホン親機と、住戸内に設置された１乃至複数の照明装置と、それぞれの照明装置の点灯・消灯を制御する１乃至複数の照明制御装置とで構成され、
インターホン親機は、音や光によって火災警報を報知する報知手段と、火災を感知した火災感知器が送信する火災感知信号を受信する受信手段と、受信手段が火災感知信号を受信したときに報知手段に火災警報を報知させるとともに照明制御装置に対して照明装置を点灯させるように指示する点灯指示命令を出力する制御手段と、制御手段から出力される点灯指示命令を含む点灯指示信号を各照明制御装置に向けて送信する送信手段とを備え、
照明制御装置は、インターホン親機から送信される点灯指示信号を受信する受信手段と、受信手段で受信する点灯指示信号に含まれた点灯指示命令に従って照明装置を点灯させる制御手段とを備えたことを特徴とするインターホンシステム。
【請求項２】
インターホン親機の制御手段は、前記点灯指示命令と、照明制御装置に対して照明装置を消灯させるように指示する消灯指示命令とを交互に出力し、インターホン親機の送信手段は、制御手段から出力される点灯指示命令を含む点灯指示信号及び消灯指示命令を含む消灯指示信号を各照明制御装置に向けて送信することを特徴とする請求項１記載のインターホンシステム。
【請求項３】
インターホン親機の制御手段は、点灯指示命令を出力してから消灯指示命令を出力するまでの点灯期間を、消灯指示命令を出力してから点灯指示命令を出力するまでの消灯期間よりも十分に長い時間とすることを特徴とする請求項２記載のインターホンシステム。
【請求項４】
インターホン親機の制御手段は、複数の照明制御装置のうちで予め選択された１乃至複数の照明制御装置に対してのみ点灯指示命令と消灯指示命令を交互に出力することを特徴とする請求項２又は３記載のインターホンシステム。
【請求項５】
インターホン親機は、報知手段による火災警報の報知を停止させるための操作入力を受け付ける操作入力受付手段を備え、
インターホン親機の制御手段は、操作入力受付手段で前記操作入力が受け付けられたときに報知手段による火災警報の報知を停止させるとともに点灯指示命令を出力した後に消灯指示命令を出力しないことを特徴とする請求項２〜４の何れか１項に記載のインターホンシステム。
【請求項６】
インターホン親機は表示手段を備え、インターホン親機の制御手段は、受信手段が火災感知信号を受信したときに点灯指示命令を出力する第１の動作モード、若しくは受信手段が火災感知信号を受信したときに点灯指示命令を出力しない第２の動作モードの何れかの動作モードによって択一的に動作するとともに、前記操作入力受付手段で第１又は第２の動作モードの何れかを選択する操作入力が受け付けられると当該操作入力に対応した動作モードで動作し、且つ動作中の動作モードに対応した表示を表示手段に行わせることを特徴とする請求項１〜５の何れか１項に記載のインターホンシステム。
【請求項７】
外玄関に設置されるインターホン子機と、住戸内に設置されて火災を感知する１乃至複数の火災感知器と、住戸内に設置されてインターホン子機との間で通話音声を送受信するとともに何れかの火災感知器で火災が感知されたときに火災警報を報知するインターホン親機と、住戸の出入口に設けられた扉に設置される電気錠と、電気錠の施錠・解錠を制御する電気錠制御装置とで構成され、
インターホン親機は、音や光によって火災警報を報知する報知手段と、火災を感知した火災感知器が送信する火災感知信号を受信する受信手段と、受信手段が火災感知信号を受信したときに報知手段に火災警報を報知させるとともに電気錠制御装置に対して電気錠を解錠させるように指示する解錠指示命令を出力する制御手段と、制御手段から出力される解錠指示命令を含む解錠指示信号を電気錠制御装置に向けて送信する送信手段とを備え、
電気錠制御装置は、インターホン親機から送信される解錠指示信号を受信する受信手段と、受信手段で受信する解錠指示信号に含まれた解錠指示命令に従って電気錠を解錠させる制御手段とを備えたことを特徴とするインターホンシステム。
【請求項８】
インターホン親機は、火災警報の警報音及び音声を鳴動する鳴動手段を備え、インターホン親機の制御手段は、解錠指示命令を出力した後、電気錠が解錠されたことを知らせる音声メッセージと火災警報の警報音とを交互に鳴動手段から鳴動させることを特徴とする請求項７記載のインターホンシステム。
【請求項９】
インターホン親機は、報知手段による火災警報の報知を停止させるための操作入力を受け付ける操作入力受付手段を備え、
インターホン親機の制御手段は、操作入力受付手段で前記操作入力が受け付けられたときに報知手段による火災警報の報知を停止させるとともに電気錠制御装置に対して電気錠を施錠させるように指示する施錠指示命令を出力し、
インターホン親機の送信手段は、制御手段から出力される施錠指示命令を含む施錠指示信号を電気錠制御装置に向けて送信し、
電気錠制御装置の制御手段は、インターホン親機から送信される施錠指示信号を受信手段で受信すると、当該施錠指示信号に含まれた施錠指示命令に従って電気錠を施錠させることを特徴とする請求項７又は８記載のインターホンシステム。
【請求項１０】
インターホン親機は表示手段を備え、インターホン親機の制御手段は、受信手段が火災感知信号を受信したときに解錠指示命令を出力する第１の動作モード、若しくは受信手段が火災感知信号を受信したときに解錠指示命令を出力しない第２の動作モードの何れかの動作モードによって択一的に動作するとともに、前記操作入力受付手段で第１又は第２の動作モードの何れかを選択する操作入力が受け付けられると当該操作入力に対応した動作モードで動作し、且つ動作中の動作モードに対応した表示を表示手段に行わせることを特徴とする請求項７〜９の何れか１項に記載のインターホンシステム。
【発明の詳細な説明】
【技術分野】
【０００１】
本発明は、外玄関に設置されるインターホン子機と、住戸内に設置されるインターホン親機と、火災を感知する火災感知器とを有するインターホンシステムに関するものである。
【背景技術】
【０００２】
従来より、外玄関に設置されるインターホン子機と、住戸内に設置されるインターホン親機と、火災を感知する火災感知器とを有するインターホンシステムが提供されている（例えば、特許文献１参照）。
【０００３】
特許文献１に記載されている従来例では、複数台の火災感知器が信号線を介してインターホン親機に接続され、何れかの火災感知器で火災が感知されると当該火災感知器から信号線を介して火災検知信号が送信され、火災検知信号を受信したインターホン親機がスピーカから火災警報の警報音を鳴動させることで火災の発生を迅速且つ確実に住人に報知するようにしている。但し、火災感知器にスピーカを搭載して火災が感知されたときに火災感知器のスピーカから警報音を鳴動させる場合もあり、自ら警報音を鳴動する機能を有した火災感知器を特に火災警報器と呼ぶ。
【０００４】
また、上述のように火災感知器（あるいは火災警報器）と連動して警報音を鳴動させるだけでなく、住戸内に設置されている照明装置や玄関扉の電気錠などをインターホン親機から遠隔制御で点灯・消灯したり、施解錠することができるインターホンシステムも提案されている（特許文献２参照）。
【特許文献１】特開２００８−２１９２８７号公報
【特許文献２】特許第２６９１４１９号公報
【発明の開示】
【発明が解決しようとする課題】
【０００５】
しかしながら、特許文献２に記載されている従来例では、インターホン親機に設けられている操作スイッチなどを人が操作しなければ照明装置を点灯・消灯させたり、電気錠を施解錠させることができなかったため、例えば、就寝中に火災が発生した場合にインターホン親機が設置されている居間（リビング）まで人が移動しなければならず、使い勝手が悪いものであった。
【０００６】
本発明は上記事情に鑑みて為されたものであり、その目的は、火災が発生したときに自動的に照明や電気錠を制御することで使い勝手並びに安全性を向上したインターホンシステムを提供することにある。
【課題を解決するための手段】
【０００７】
請求項１の発明は、上記目的を達成するために、外玄関に設置されるインターホン子機と、住戸内に設置されて火災を感知する１乃至複数の火災感知器と、住戸内に設置されてインターホン子機との間で通話音声を送受信するとともに何れかの火災感知器で火災が感知されたときに火災警報を報知するインターホン親機と、住戸内に設置された１乃至複数の照明装置と、それぞれの照明装置の点灯・消灯を制御する１乃至複数の照明制御装置とで構成され、インターホン親機は、音や光によって火災警報を報知する報知手段と、火災を感知した火災感知器が送信する火災感知信号を受信する受信手段と、受信手段が火災感知信号を受信したときに報知手段に火災警報を報知させるとともに照明制御装置に対して照明装置を点灯させるように指示する点灯指示命令を出力する制御手段と、制御手段から出力される点灯指示命令を含む点灯指示信号を各照明制御装置に向けて送信する送信手段とを備え、照明制御装置は、インターホン親機から送信される点灯指示信号を受信する受信手段と、受信手段で受信する点灯指示信号に含まれた点灯指示命令に従って照明装置を点灯させる制御手段とを備えたことを特徴とする。
【０００８】
請求項１の発明によれば、火災感知器で火災が感知されると住戸内の照明装置が自動的に点灯するため、住人による操作が不要となって使い勝手及び安全性が向上する。しかも、照明装置が自動的に点灯することによって住人に火災の発生を視覚的に報知することが可能となる。
【０００９】
請求項２の発明は、請求項１の発明において、インターホン親機の制御手段は、前記点灯指示命令と、照明制御装置に対して照明装置を消灯させるように指示する消灯指示命令とを交互に出力し、インターホン親機の送信手段は、制御手段から出力される点灯指示命令を含む点灯指示信号及び消灯指示命令を含む消灯指示信号を各照明制御装置に向けて送信することを特徴とする。
【００１０】
請求項２の発明によれば、火災感知器で火災が感知されると住戸内の照明装置が点滅を繰り返すため、当該住戸の外に居る人に火災の発生を報知することが可能となる。
【００１１】
請求項３の発明は、請求項２の発明において、インターホン親機の制御手段は、点灯指示命令を出力してから消灯指示命令を出力するまでの点灯期間を、消灯指示命令を出力してから点灯指示命令を出力するまでの消灯期間よりも十分に長い時間とすることを特徴とする。
【００１２】
請求項３の発明によれば、照明装置が点滅を繰り返す場合、照明装置が点灯している点灯期間を、照明装置が消灯している消灯期間よりも十分に長い時間とすることにより、住人の避難に支障を来さずに住戸の外に居る人に火災の発生を報知することが可能となる。
【００１３】
請求項４の発明は、請求項２又は３の発明において、インターホン親機の制御手段は、複数の照明制御装置のうちで予め選択された１乃至複数の照明制御装置に対してのみ点灯指示命令と消灯指示命令を交互に出力することを特徴とする。
【００１４】
請求項４の発明によれば、住人が避難する際に支障のない場所、例えば、浴室やトイレに設置されている照明装置のみを周期的に点滅させ、それ以外の場所、例えば、廊下や寝室、居間などに設置されている照明装置を点灯させることにより、住人の避難に支障を来さずに住戸の外に居る人に火災の発生を報知することが可能となる。
【００１５】
請求項５の発明は、請求項２〜４の何れか１項の発明において、インターホン親機は、報知手段による火災警報の報知を停止させるための操作入力を受け付ける操作入力受付手段を備え、インターホン親機の制御手段は、操作入力受付手段で前記操作入力が受け付けられたときに報知手段による火災警報の報知を停止させるとともに点灯指示命令を出力した後に消灯指示命令を出力しないことを特徴とする。
【００１６】
請求項５の発明によれば、火災警報の停止と照明装置の点滅の停止を一つの操作で行うことができるために使い勝手が向上する。
【００１７】
請求項６の発明は、請求項１〜５の何れか１項の発明において、インターホン親機は表示手段を備え、インターホン親機の制御手段は、受信手段が火災感知信号を受信したときに点灯指示命令を出力する第１の動作モード、若しくは受信手段が火災感知信号を受信したときに点灯指示命令を出力しない第２の動作モードの何れかの動作モードによって択一的に動作するとともに、前記操作入力受付手段で第１又は第２の動作モードの何れかを選択する操作入力が受け付けられると当該操作入力に対応した動作モードで動作し、且つ動作中の動作モードに対応した表示を表示手段に行わせることを特徴とする。
【００１８】
請求項６の発明によれば、火災が発生したときに照明装置を自動的に点灯させる第１の動作モードと、火災が発生したときに照明装置を自動的に点灯させない第２の動作モードとの何れかに択一的に選択することができ、しかも、何れの動作モードで動作しているか表示手段の表示で確認することができる。
【００１９】
請求項７の発明は、上記目的を達成するために、外玄関に設置されるインターホン子機と、住戸内に設置されて火災を感知する１乃至複数の火災感知器と、住戸内に設置されてインターホン子機との間で通話音声を送受信するとともに何れかの火災感知器で火災が感知されたときに火災警報を報知するインターホン親機と、住戸の出入口に設けられた扉に設置される電気錠と、電気錠の施錠・解錠を制御する電気錠制御装置とで構成され、インターホン親機は、音や光によって火災警報を報知する報知手段と、火災を感知した火災感知器が送信する火災感知信号を受信する受信手段と、受信手段が火災感知信号を受信したときに報知手段に火災警報を報知させるとともに電気錠制御装置に対して電気錠を解錠させるように指示する解錠指示命令を出力する制御手段と、制御手段から出力される解錠指示命令を含む解錠指示信号を電気錠制御装置に向けて送信する送信手段とを備え、電気錠制御装置は、インターホン親機から送信される解錠指示信号を受信する受信手段と、受信手段で受信する解錠指示信号に含まれた解錠指示命令に従って電気錠を解錠させる制御手段とを備えたことを特徴とする。
【００２０】
請求項７の発明によれば、火災感知器で火災が感知されると住戸の出入口に設けられた扉に設置される電気錠が自動的に解錠するため、住人による操作が不要となって使い勝手及び安全性が向上する。
【００２１】
請求項８の発明は、請求項７の発明において、インターホン親機は、火災警報の警報音及び音声を鳴動する鳴動手段を備え、インターホン親機の制御手段は、解錠指示命令を出力した後、電気錠が解錠されたことを知らせる音声メッセージと火災警報の警報音とを交互に鳴動手段から鳴動させることを特徴とする。
【００２２】
請求項８の発明によれば、電気錠が自動的に解錠されたことを報知して住人をスムーズに避難させることができる。
【００２３】
請求項９の発明は、請求項７又は８の発明において、インターホン親機は、報知手段による火災警報の報知を停止させるための操作入力を受け付ける操作入力受付手段を備え、インターホン親機の制御手段は、操作入力受付手段で前記操作入力が受け付けられたときに報知手段による火災警報の報知を停止させるとともに電気錠制御装置に対して電気錠を施錠させるように指示する施錠指示命令を出力し、インターホン親機の送信手段は、制御手段から出力される施錠指示命令を含む施錠指示信号を電気錠制御装置に向けて送信し、電気錠制御装置の制御手段は、インターホン親機から送信される施錠指示信号を受信手段で受信すると、当該施錠指示信号に含まれた施錠指示命令に従って電気錠を施錠させることを特徴とする。
【００２４】
請求項９の発明によれば、火災警報の停止と電気錠の施錠とを一つの操作で行うことができるために使い勝手が向上する。
【００２５】
請求項１０の発明は、請求項７〜９の何れか１項の発明において、インターホン親機は表示手段を備え、インターホン親機の制御手段は、受信手段が火災感知信号を受信したときに解錠指示命令を出力する第１の動作モード、若しくは受信手段が火災感知信号を受信したときに解錠指示命令を出力しない第２の動作モードの何れかの動作モードによって択一的に動作するとともに、前記操作入力受付手段で第１又は第２の動作モードの何れかを選択する操作入力が受け付けられると当該操作入力に対応した動作モードで動作し、且つ動作中の動作モードに対応した表示を表示手段に行わせることを特徴とする。
【００２６】
請求項１０の発明によれば、火災が発生したときに電気錠を自動的に解錠させる第１の動作モードと、火災が発生したときに電気錠を自動的に解錠させない第２の動作モードとの何れかに択一的に選択することができ、しかも、何れの動作モードで動作しているか表示手段の表示で確認することができる。
【発明の効果】
【００２７】
本発明によれば、火災が発生したときに自動的に照明や電気錠を制御することで使い勝手並びに安全性を向上することができる。
【発明を実施するための最良の形態】
【００２８】
（実施形態１）
本実施形態のインターホンシステムは、図１に示すように住戸Ｈの外玄関に設置されるインターホン子機（以下、子機と略す。）３と、住戸Ｈ内に設置されて火災を感知する複数（図示例では２台）の火災感知器４と、住戸Ｈ内に設置されて子機３との間で通話音声（音声信号）並びに映像信号を送受信するとともに何れかの火災感知器４で火災が感知されたときに火災警報を報知するインターホン親機（以下、親機と略す。）１と、住戸Ｈ内に設置された複数（図示例では２台）の照明装置６と、それぞれの照明装置６の点灯・消灯を制御する複数（図示例では２台）の照明制御装置５とで構成される。
【００２９】
火災感知器４は、図３に示すように火災によって生じる煙や炎あるいは熱などを検出することで火災を感知するとともに火災を感知したときに火災感知信号を出力する火災感知部４１と、ＣＰＵやメモリを主構成要素とし、火災感知部４１から火災感知信号が出力されたときに火災感知メッセージを生成する感知器制御部４０と、感知器制御部４０で生成される火災感知メッセージを含み且つ電波を媒体とする無線信号を送信する無線通信部４２と、無線信号を送信するためのアンテナ４３と、合成樹脂成形品からなり、これらの各部を収納して天井に配設される感知器本体４４とを備えている。但し、感知器本体４４にスピーカを搭載し、火災感知部４１から火災感知信号が出力されたときに感知器制御部４０がスピーカから警報音を鳴動させるようにしても構わない。尚、このように警報音の鳴動機能を有した火災感知器は特に火災警報器と呼ばれる。
【００３０】
照明制御装置５は、図４に示すようにＣＰＵやメモリを主構成要素とする制御部５０と、後述するように親機１から電波を媒体として送信される無線信号を受信する無線通信部５１並びにアンテナ５２と、照明装置６の点灯と消灯を切り換えさせるための制御信号を制御線Ｌｃを介して送信する制御信号送信部５３と、これらの各部を収納する器体５４とを備えている。
【００３１】
照明装置６は、住戸Ｈ内の各部屋（居間、台所、寝室、浴室、トイレなど）や廊下などに設置され、商用交流電源から給電されて光源（蛍光ランプや白熱灯、あるい発光ダイオードなど）を点灯するとともに、制御線Ｌｃを介して照明制御装置５から受信する制御信号に基づいて光源の点灯と消灯を切り換えるものである。
【００３２】
子機３は、マイクロホン及びスピーカ、押釦スイッチ、撮像装置、信号処理回路などが合成樹脂成形品からなるハウジング３０内に収納されてなり、信号線Ｌｓによって親機１と接続されている。図示しない信号処理回路は、撮像装置から出力される映像信号を変調し且つ変調した映像信号とマイクロホンから出力される音声信号とを周波数分割多重化して信号線Ｌｓに送出するとともに信号線Ｌｓを介して親機１から送信される音声信号を信号処理してスピーカから音声を鳴動させるものである。また、ハウジング３０の前面下部には呼出釦３１が設けられており、呼出釦３１が操作されることで前記押釦スイッチがオンされて信号線Ｌｓを介して呼出信号が親機１に伝送される。尚、このような子機３は従来周知であるから、詳細な構成並びに動作についての図示並びに説明は省略する。
【００３３】
親機１は、図２に示すようにＣＰＵやメモリを主構成要素とする親機制御部１０と、信号線Ｌｓを介して子機３との間で音声信号を送受信し且つ子機３から送信される映像信号及び呼出信号を受信する送受信部１４と、マイクロホン１１及びスピーカ１２と、マイクロホン１１から出力される音声信号（送話信号）と送受信部１４で受信する音声信号（受話信号）との信号レベルを比較して相対的に信号レベルが高い方の音声信号のみを通過させる音声スイッチなどの信号処理を実行する音声処理部１３と、送受信部１４で受信する映像信号を復調する映像処理部１５と、液晶ディスプレイなどの表示デバイスを有し、映像処理部１５で復調された映像信号によって表示デバイスに映像を表示する映像表示部１６とを備えている。親機１はさらに、火災感知器４から電波を媒体として送信される無線信号を受信するとともに照明制御装置５に対して電波を媒体とする無線信号を送信する無線通信部１７及びアンテナ１８と、押釦スイッチやタッチパネルなどを有して種々の操作入力を受け付ける操作入力受付部１９と、フラッシュメモリやＥＥＰＲＯＭなどの書換可能な不揮発性半導体メモリからなる記憶部２０と、発光ダイオードを点滅することで種々の表示を行う表示部２１と、合成樹脂成形品からなり、これらの各部を収納するハウジング２２とを備えている。尚、親機１の無線通信部１７と火災感知器４の無線通信部４２との間で送受信される無線信号と、親機１の無線通信部１７と照明制御装置５の無線通信部５１との間で送受信される無線信号とは、異なる周波数チャネルが使用される。また、親機１、複数台の火災感知器４並びに複数台の照明制御装置５には、それぞれ独立して固有のアドレスが割り当てられ、当該アドレスを用いて無線信号の送信先及び送信元を特定することができる。
【００３４】
ハウジング２２は住戸Ｈの壁に配設されるものであって、図１に示すように前面上部には映像表示部１６が有する表示デバイスの画面１６ａが露出し、前面下部には操作入力受付部１９が有する押釦スイッチを押操作するための応答釦２２ａが設けられ、前面中央には表示部２１の発光ダイオードが発する光を前方へ放射するための透孔２２ｂが貫設されている。また、ハウジング２２の側面にはアンテナ１８が突出している。
【００３５】
ここで、親機１と子機３を用いて来訪者と住人が通話する場合の動作を説明する。まず、来訪者が子機３の呼出釦３１を押操作すると、子機３から信号線Ｌｓを介して親機１に呼出信号が送信された後、撮像装置が起動して来訪者を撮像した映像信号が信号線Ｌｓを介して親機１に送信される。親機１では、子機３から送信された呼出信号を送受信部１４で受信すると、親機制御部１０が音声処理部１３を介してスピーカ１２から呼出音を鳴動させる。さらに親機１では、送受信部１４で受信する映像信号が映像処理部１５で復調され、映像表示部１６において来訪者の映像が表示される。
【００３６】
呼出音で呼び出された住戸Ｈの住人が親機１の映像表示部１６に表示された映像によって来訪者を確認し、ハウジング２２の前面に設けられている応答釦２２ａを押操作すれば、親機１の操作入力受付部１９で応答釦の操作入力が受け付けられて操作入力受付部１９から親機制御部１０へ操作信号が出力される。当該操作信号を受け取った親機制御部１０は、音声処理部１３を起動してマイクロホン１１から出力される音声信号を送受信部１４から信号線Ｌｓを介して子機３に送信させるとともに子機３から送信されて送受信部１４で受信する音声信号を音声処理部１３を経由してスピーカ１２に出力させる。
【００３７】
上述のようにして来訪者が発する音声並びに撮像装置で撮像された来訪者の映像が信号線Ｌｓを介して子機３から親機１に伝送されるとともに、住人の発する音声が信号線Ｌｓを介して親機１から子機３へ伝送されることで来訪者と住人が子機３と親機１を用いて通話することができる。
【００３８】
次に、図５のシーケンス図を参照しながら、火災感知器４で火災が感知された場合の動作を説明する。但し、図５では火災感知器４が１台、照明制御装置５並びに照明装置６がそれぞれ３台の場合を例示しているが、火災感知器４の台数や照明制御装置５並びに照明装置６の台数はこれに限定する主旨ではない。
【００３９】
火災感知器４から火災感知メッセージを含む無線信号（火災感知信号）が送信され、当該火災感知信号が親機１の無線通信部１７で受信されると、親機制御部１０は、音声処理部１３を通じてスピーカ１２から警報音を鳴動させるとともに、映像表示部１６を制御して表示デバイスに火災警報のメッセージを表示させる。さらに親機制御部１０は、各照明制御装置５に対して照明装置６を点灯させるように指示する点灯指示命令を生成して無線通信部１７に出力する。無線通信部１７では、親機制御部１０から出力される点灯指示命令を含んだ無線信号（点灯指示信号）をアンテナ１８から送信する。尚、当該点灯指示信号の送信先アドレスには、全ての照明制御装置５を指定する特殊なアドレス（マルチキャストアドレスあるいはブロードキャストアドレス）が指定される。
【００４０】
親機１から送信された点灯指示信号（無線信号）が照明制御装置５の無線通信部５１で受信されると、照明制御装置５の制御部５０は、点灯指示信号に含まれる点灯指示命令に従い、照明装置６を点灯させるための制御信号を制御線Ｌｃを介して制御信号送信部５３から送信させる。そして、当該制御信号を受信した照明装置６が光源を点灯させるのである。
【００４１】
また、スピーカ１２から警報音を鳴動している状況で応答釦２２ａが長押し（例えば、３秒間）操作されると、操作入力受付部１９が警報音を停止させるための操作入力を受け付けて警報音停止の操作信号を親機制御部１０に出力する。そして、警報停止の操作信号を受け取った親機制御部１０は、スピーカ１２による警報音の鳴動並びに表示デバイスによる火災警報メッセージの表示を停止させる。
【００４２】
上述のように本実施形態によれば、火災感知器４で火災が感知されると住戸Ｈ内の照明装置６が自動的に点灯するため、住人による操作が不要となって使い勝手及び安全性が向上し、しかも、照明装置６が自動的に点灯することによって住人に火災の発生を視覚的に報知することが可能となる。
【００４３】
ここで、親機１の親機制御部１０においては、上述のように無線通信部１７が火災感知信号を受信したときに点灯指示命令を出力する第１の動作モードと、無線通信部１７が火災感知信号を受信したときに点灯指示命令を出力しない第２の動作モードとの何れかの動作モードによって択一的に動作し、操作入力受付部１９で受け付けられる操作入力に応じて第１又は第２の動作モードの何れかを択一的に選択するようになっている。さらに親機制御部１０は、第１の動作モードと第２の動作モードの何れが選択されているかを記憶部２０に記憶するとともに、記憶部２０に記憶されている動作モードが第１の動作モードであるときは表示部２１の発光ダイオードを点灯し、記憶部２０に記憶されている動作モードが第２の動作モードであるときは表示部２１の発光ダイオードを消灯することによって何れの動作モードに設定されているかを表示部２１で表示している。故に、火災が発生したときに照明装置６を自動的に点灯させる第１の動作モードと、火災が発生したときに照明装置６を自動的に点灯させない第２の動作モードとの何れかに択一的に選択することができ、しかも、何れの動作モードで動作しているか表示部２１の表示で確認することができる。
【００４４】
（実施形態２）
本実施形態のインターホンシステムは実施形態１と共通の構成を有しており、火災感知器４で火災が感知された場合の動作のみが実施形態１と異なっている。
【００４５】
そこで、実施形態１と共通である構成の図示並びに説明は省略し、本実施形態の特徴である火災感知器４で火災が感知された場合の動作について、図６のシーケンス図を参照しながら説明する。但し、図６では火災感知器４が１台、照明制御装置５並びに照明装置６がそれぞれ３台の場合を例示しているが、火災感知器４の台数や照明制御装置５並びに照明装置６の台数はこれに限定する主旨ではない。
【００４６】
火災感知器４から火災感知メッセージを含む無線信号（火災感知信号）が送信され、当該火災感知信号が親機１の無線通信部１７で受信されると、親機制御部１０は、音声処理部１３を通じてスピーカ１２から警報音を鳴動させるとともに、映像表示部１６を制御して表示デバイスに火災警報のメッセージを表示させる。さらに親機制御部１０は、各照明制御装置５に対して照明装置６を点灯させるように指示する点灯指示命令を生成して無線通信部１７に出力し、点灯指示命令を出力した後にタイマ（図示せず）を起動して所定の点灯期間Ｔonのカウントダウンを開始する。無線通信部１７では、親機制御部１０から出力される点灯指示命令を含んだ無線信号（点灯指示信号）をアンテナ１８から送信する。
【００４７】
親機１から送信された点灯指示信号が照明制御装置５の無線通信部５１で受信されると、照明制御装置５の制御部５０は、点灯指示信号に含まれる点灯指示命令に従い、照明装置６を点灯させるための制御信号を制御線Ｌｃを介して制御信号送信部５３から送信させる。そして、当該制御信号を受信した照明装置６が光源を点灯させる。
【００４８】
タイマによる点灯期間Ｔonのカウントダウンが終了すると、親機制御部１０は、各照明制御装置５に対して照明装置６を消灯させるように指示する消灯指示命令を生成して無線通信部１７に出力し、消灯指示命令を出力した後にタイマを起動して所定の消灯期間Ｔoffのカウントダウンを開始する。無線通信部１７では、親機制御部１０から出力される消灯指示命令を含んだ無線信号（消灯指示信号）をアンテナ１８から送信する。
【００４９】
親機１から送信された消灯指示信号が照明制御装置５の無線通信部５１で受信されると、照明制御装置５の制御部５０は、消灯指示信号に含まれる消灯指示命令に従い、照明装置６を消灯させるための制御信号を制御線Ｌｃを介して制御信号送信部５３から送信させる。そして、当該制御信号を受信した照明装置６が光源を消灯させる。
【００５０】
さらにタイマによる消灯期間Ｔoffのカウントダウンが終了すると、親機制御部１０は、各照明制御装置５に対して照明装置６を再び点灯させるように指示する点灯指示命令を生成して無線通信部１７に出力し、点灯指示命令を出力した後にタイマを起動して再度点灯期間Ｔonのカウントダウンを開始する。無線通信部１７では、親機制御部１０から出力される点灯指示命令を含んだ消灯指示信号をアンテナ１８から送信する。
【００５１】
親機１から送信された点灯指示信号が照明制御装置５の無線通信部５１で受信されると、照明制御装置５の制御部５０は、点灯指示信号に含まれる点灯指示命令に従い、照明装置６を点灯させるための制御信号を制御線Ｌｃを介して制御信号送信部５３から送信させる。そして、当該制御信号を受信した照明装置６が光源を点灯させる。
【００５２】
このようにして各照明装置６では点灯期間Ｔon中に光源を点灯し、点灯期間Ｔonが終了したら消灯期間Ｔoffが経過するまで光源を消灯し、さらに消灯期間Ｔoffが経過したら再び点灯期間Ｔon中に光源を点灯するという動作を繰り返すことになる。
【００５３】
また、スピーカ１２から警報音を鳴動している状況で応答釦２２ａが長押し操作されると、操作入力受付部１９が警報音を停止させるための操作入力を受け付けて警報音停止の操作信号を親機制御部１０に出力する。そして、警報停止の操作信号を受け取った親機制御部１０は、スピーカ１２による警報音の鳴動並びに表示デバイスによる火災警報メッセージの表示を停止させるとともに、各照明制御装置５に対して照明装置６を点灯させるように指示する点灯指示命令を生成して無線通信部１７に出力する。但し、この場合はタイマによる点灯期間Ｔonのカウントダウンは行わない。そして、親機１から送信された点灯指示信号が照明制御装置５の無線通信部５１で受信され、照明制御装置５の制御部５０が点灯指示信号に含まれる点灯指示命令に従い、制御線Ｌｃを介して制御信号送信部５３から制御信号を送信させることで照明装置６の光源を点灯させる。
【００５４】
上述のように本実施形態によれば、火災感知器４で火災が感知されると住戸Ｈ内の照明装置６が点滅を繰り返すため、住戸Ｈの外に居る人に異常（火災）の発生を報知することが可能となる。尚、点灯期間Ｔonは消灯期間Ｔoffよりも十分に長い時間とすれば、住人の避難に支障を来さずに住戸Ｈの外に居る人に火災の発生を報知することが可能となる。また、上述のように警報停止を停止させるための操作入力が操作入力受付部１９で受け付けられると、親機制御部１０が照明装置６の点滅を終了して照明装置６を点灯させるので、火災警報の停止と照明装置６の点滅の停止を一つの操作で行うことができるために使い勝手が向上するという利点がある。
【００５５】
ところで、住戸Ｈ内に設置されている全ての照明装置６を点滅させるのではなく、特定の照明装置６（１台でも複数台でも構わない。）のみを周期的に点滅させるようにしても構わない。
【００５６】
例えば、図７のシーケンス図に示すように火災感知器４から送信された火災感知信号が親機１の無線通信部１７で受信されると、親機制御部１０は、音声処理部１３を通じてスピーカ１２から警報音を鳴動させるとともに、映像表示部１６を制御して表示デバイスに火災警報のメッセージを表示させる。さらに親機制御部１０は、各照明制御装置５に対して点灯指示命令を生成して無線通信部１７に出力し、点灯指示命令を出力した後にタイマを起動して所定の点灯期間Ｔonのカウントダウンを開始する。無線通信部１７では、親機制御部１０から出力される点灯指示命令を含み且つ宛先アドレスに全ての照明制御装置５を宛先とするマルチキャスト若しくはブロードキャストアドレスを指定した点灯指示信号をアンテナ１８から送信する。そして、親機１から送信された点灯指示信号が全ての照明制御装置５の無線通信部５１で受信され、照明制御装置５の制御部５０が点灯指示信号に含まれる点灯指示命令に従い、制御線Ｌｃを介して制御信号送信部５３から制御信号を送信させることで住戸Ｈ内の全ての照明装置６の光源を点灯させる。
【００５７】
タイマによる点灯期間Ｔonのカウントダウンが終了すると、親機制御部１０は、予め選択されて記憶部２０に登録されている照明制御装置５のアドレスを読み出し、当該照明制御装置５に対して照明装置６を消灯させるように指示する消灯指示命令を生成して無線通信部１７に出力し、消灯指示命令を出力した後にタイマを起動して所定の消灯期間Ｔoffのカウントダウンを開始する。無線通信部１７では、親機制御部１０から出力される消灯指示命令を含み且つ宛先アドレスに記憶部２０から読み出された特定の照明制御装置５のアドレスのみを含んだ消灯指示信号をアンテナ１８から送信する。そして、親機１から送信された消灯指示信号が宛先アドレスに一致する特定の照明制御装置５の無線通信部５１のみで受信され、当該照明制御装置５の制御部５０が消灯指示信号に含まれる消灯指示命令に従い、制御線Ｌｃを介して制御信号送信部５３から制御信号を送信させることで特定の照明装置６の光源のみを消灯させる。
【００５８】
タイマによる消灯期間Ｔoffのカウントダウンが終了すると、親機制御部１０は、特定の照明制御装置５に対して照明装置６を再び点灯させるように指示する点灯指示命令を生成して無線通信部１７に出力し、点灯指示命令を出力した後にタイマを起動して点灯期間Ｔonのカウントダウンを開始する。無線通信部１７では、親機制御部１０から出力される点灯指示命令を含み且つ宛先アドレスに記憶部２０から読み出された特定の照明制御装置５のアドレスのみを含んだ点灯指示信号をアンテナ１８から送信する。そして、親機１から送信された点灯指示信号が宛先アドレスに一致する特定の照明制御装置５の無線通信部５１のみで受信され、当該照明制御装置５の制御部５０が点灯指示信号に含まれる点灯指示命令に従い、制御線Ｌｃを介して制御信号送信部５３から制御信号を送信させることで特定の照明装置６の光源を再び点灯させる。
【００５９】
このようにして特定の照明装置６では点灯期間Ｔon中に光源を点灯し、点灯期間Ｔonが終了したら消灯期間Ｔoffが経過するまで光源を消灯し、さらに消灯期間Ｔoffが経過したら再び点灯期間Ｔon中に光源を点灯するという動作を繰り返すことになる。尚、特定の照明装置６を除く他の照明装置６では連続して光源を点灯することになる。
【００６０】
上述のように予め選択された特定の照明装置６の光源のみを点滅させれば、住人が避難する際に支障のない場所、例えば、浴室やトイレに設置されている照明装置６のみを周期的に点滅させ、それ以外の場所、例えば、廊下や寝室、居間などに設置されている照明装置６を連続して点灯させることにより、住人の避難に支障を来さずに住戸の外に居る人に火災の発生を報知することが可能となる。
【００６１】
（実施形態３）
本実施形態のインターホンシステムは、図８に示すように住戸Ｈの外玄関に設置される子機３と、住戸Ｈ内に設置されて火災を感知する火災感知器４と、住戸Ｈ内に設置されて子機３との間で通話音声（音声信号）並びに映像信号を送受信するとともに何れかの火災感知器４で火災が感知されたときに火災警報を報知する親機１と、住戸Ｈの玄関扉Ｄに設置された電気錠７と、電気錠７の施錠・解錠を制御する電気錠制御装置８とで構成される。但し、親機１、子機３、火災感知器４の基本的な構成は実施形態１とほぼ共通であるから、共通する構成要素には同一の符号を付して適宜説明を省略する。
【００６２】
本実施形態における火災感知器４は、図１０に示すように実施形態１における無線通信部４２及びアンテナ４３の代わりに、信号線Ｌｘを介して親機１に火災感知信号を送信する有線通信部４５を備えている。
【００６３】
電気錠制御装置８は、図１１に示すようにＣＰＵやメモリを主構成要素とする制御部８０と、後述するように親機１から信号線Ｌｙを介して送信される信号を受信する有線通信部８１と、電気錠７の施錠と解錠を切り換えさせるための制御信号を制御線Ｌｃを介して送信する制御信号送信部８２と、これらの各部を収納する器体８３とを備えている。
【００６４】
また本実施形態における親機１は、図９に示すように実施形態１における無線通信部１７及びアンテナ１８に代えて、信号線Ｌｘを介して火災感知器４から送信される火災感知信号を受信する第１の有線通信部２３と、別の信号線Ｌｙを介して電気錠制御装置８に信号を送信する第２の有線通信部２４とを備えている。
【００６５】
次に、図１２のシーケンス図を参照しながら、火災感知器４で火災が感知された場合の動作を説明する。
【００６６】
火災感知器４の有線通信部４５から火災感知信号が送信され、当該火災感知信号が親機１の第１の有線通信部２３で受信されると、親機制御部１０は、音声処理部１３を通じてスピーカ１２から警報音（例えば、「ピーポ、ピーポ」というようなサイレン）並びに警報メッセージ（例えば、「火事です」）を鳴動させるとともに、映像表示部１６を制御して表示デバイスに火災警報のメッセージを表示させる。さらに親機制御部１０は、電気錠制御装置８に対して電気錠７を解錠させるように指示する解錠指示命令を生成して第２の有線通信部２４に出力する。第２の有線通信部２４では、親機制御部１０から出力される解錠指示命令を含んだ解錠指示信号を信号線を介して送信する。
【００６７】
親機１の第２の有線通信部２４から送信された解錠指示信号が電気錠制御装置８の有線通信部８１で受信されると、電気錠制御装置８の制御部８０は、解錠指示信号に含まれる解錠指示命令に従い、電気錠７を解錠させるための制御信号を制御線Ｌｃを介して制御信号送信部８２から送信させる。そして、当該制御信号によって電気錠７が解錠するのである。
【００６８】
また、スピーカ１２から警報音及び警報メッセージを鳴動している状況で応答釦２２ａが長押し（例えば、３秒間）操作されると、操作入力受付部１９が警報音を停止させるための操作入力を受け付けて警報音停止の操作信号を親機制御部１０に出力する。そして、警報停止の操作信号を受け取った親機制御部１０は、スピーカ１２による警報音及び警報メッセージの鳴動並びに表示デバイスによる火災警報メッセージの表示を停止させる。さらに親機制御部１０は、電気錠制御装置８に対して電気錠７を施錠させるように指示する施錠指示命令を生成して第２の有線通信部２４に出力する。第２の有線通信部２４では、親機制御部１０から出力される施錠指示命令を含んだ施錠指示信号を信号線を介して送信する。
【００６９】
親機１の第２の有線通信部２４から送信された施錠指示信号が電気錠制御装置８の有線通信部８１で受信されると、電気錠制御装置８の制御部８０は、施錠指示信号に含まれる施錠指示命令に従い、電気錠７を施錠させるための制御信号を制御線Ｌｃを介して制御信号送信部８２から送信させる。そして、当該制御信号によって電気錠７が施錠するのである。
【００７０】
上述のように本実施形態によれば、火災感知器４で火災が感知されると住戸Ｈの玄関扉Ｄに設置されている電気錠７が自動的に解錠するため、住人による操作が不要となって使い勝手及び安全性が向上するという利点がある。尚、図１３に示すように、「火事です」という警報メッセージ及び「ピーポ、ピーポ」という警報音と、玄関扉Ｄの電気錠７が解錠されたことを知らせるための音声メッセージ（例えば、「玄関の鍵を解錠しました。」）とを、親機制御部１０がスピーカ１２から交互に鳴動させるようにしても構わない。このようにすれば、電気錠７が自動的に解錠されたことを報知して住人をスムーズに避難させることができる。
【００７１】
ここで、親機１の親機制御部１０においては、上述のように第１の有線通信部２３が火災感知信号を受信したときに解錠指示命令を出力する第１の動作モードと、第１の有線通信部２３が火災感知信号を受信したときに解錠指示命令を出力しない第２の動作モードとの何れかの動作モードによって択一的に動作し、操作入力受付部１９で受け付けられる操作入力に応じて第１又は第２の動作モードの何れかを択一的に選択するようになっている。さらに親機制御部１０は、第１の動作モードと第２の動作モードの何れが選択されているかを記憶部２０に記憶するとともに、記憶部２０に記憶されている動作モードが第１の動作モードであるときは表示部２１の発光ダイオードを点灯し、記憶部２０に記憶されている動作モードが第２の動作モードであるときは表示部２１の発光ダイオードを消灯することによって何れの動作モードに設定されているかを表示部２１で表示している。故に、火災が発生したときに電気錠７を自動的に解錠させる第１の動作モードと、火災が発生したときに電気錠７を自動的に解錠させない第２の動作モードとの何れかに択一的に選択することができ、しかも、何れの動作モードで動作しているか表示部２１の表示で確認することができる。
【図面の簡単な説明】
【００７２】
【図１】本発明の実施形態１を示すシステム構成図である。
【図２】同上におけるインターホン親機のブロック図である。
【図３】同上における火災感知器のブロック図である。
【図４】同上における照明制御装置のブロック図である。
【図５】同上の動作説明用のシーケンス図である。
【図６】本発明の実施形態２の動作説明用のシーケンス図である。
【図７】同上の動作説明用のシーケンス図である。
【図８】本発明の実施形態３を示すシステム構成図である。
【図９】同上におけるインターホン親機のブロック図である。
【図１０】同上における火災感知器のブロック図である。
【図１１】同上における電気錠制御装置のブロック図である。
【図１２】同上の動作説明用のシーケンス図である。
【図１３】同上の動作説明図である。
【符号の説明】
【００７３】
１  インターホン親機
３  インターホン子機
４  火災感知器
５  照明制御装置
６  照明装置
【図１】
2010136104.tif 000003
【図２】
2010136104.tif 000004
【図３】
2010136104.tif 000005
【図４】
2010136104.tif 000006
【図５】
2010136104.tif 000007
【図６】
2010136104.tif 000008
【図７】
2010136104.tif 000009
【図８】
2010136104.tif 000010
【図９】
2010136104.tif 000011
【図１０】
2010136104.tif 000012
【図１１】
2010136104.tif 000013
【図１２】
2010136104.tif 000014
【図１３】
2010136104.tif 000015